(57)【要約】【課題】ハサミの刃部の覆いを行えるだけでなく、ハサミの置き場所を常に確保できてその存在位置を明確にすることができ、対象とするハサミの種類に制限を与えることもないハサミ立てを提供すること。【解決手段】筒状の台本体１１と、この台本体１１に載置される蓋体１２とにより構成するとともに、台本体１１の底部にハサミ２０の閉じた両刃部先端２１ａ・２１ａを係止する係止部１３を形成し、かつ、蓋体１２に、ハサミ２０の閉じた両刃部２１・２１を挿入できる挿入口１４を形成したこと。【選択図】図１
2019000363.tif 000002
【特許請求の範囲】
【請求項１】
ハサミの閉じた両刃部を挿入して当該ハサミを立てて置くためのハサミ立てであって、
このハサミ立てを、筒状の台本体と、この台本体に載置される蓋体とにより構成するとともに、
前記台本体の底部に前記ハサミの閉じた両刃部先端を係止する係止部を形成し、かつ、前記蓋体に、前記ハサミの閉じた両刃部を挿入できる挿入口を形成して、これらの挿入口と前記係止部とによって前記ハサミの閉じた両刃部の２箇所の支持を行うようにしたことを特徴とするハサミ立て。
【発明の詳細な説明】
【技術分野】
【０００１】
本発明は、ハサミを置くための台に関し、特に、ハサミの刃部が露出しないようにしてハサミを所定場所に置いておくことのできるハサミ立てに関するものである。
【背景技術】
【０００２】
大人も子供も日常的に使用するハサミは、身近にある便利な道具であるが、その刃部が露出したままであると、問題が発生し得る。そこで、例えば、特許文献１にて提案されているような、「ケース付き鋏」が考えられた。
【０００３】
この特許文献１にて提案された「ケース付き鋏」は、「鋏を閉じる握力により、刃を収容するケースが損傷を被ることを防止する」ことを目的としてなされたものであるが、本願の図６に示すように、「ケースは、一端に設けられた連結部の周りに開閉可能であり、一端を刃先側に向けた姿勢で、間隙に挟まれて案内されることにより、一対の鋏片の刃を収容しかつ刃の開きを抑えるように刃の側に前進した位置と、連結部が回動軸と重なり、一対の鋏片とともに開閉するように把持部の側に後退した位置との間で、摺動可能である」としたものである。
【先行技術文献】
【特許文献】
【０００４】
【特許文献１】特許第６０８５７３２号掲載公報、図１
【発明の概要】
【発明が解決しようとする課題】
【０００５】
この特許文献１の「ケース付き鋏」では、そのケースによって鋏を保護しているから、鋏の剥き出しになっている「刃部」を覆って、問題発生を無くすことは確かにできるものとなっている。
【０００６】
しかしながら、この「ケース」は、その鋏専属物として形成されているため、他の形のハサミには適用ができない。それだけでなく、この「ケース」は、ハサミの存在を明示するものでもないから、当該ハサミを、例えば雑誌や新聞の記事の切り取り用に使用していた場合に、当該ハサミが雑誌や新聞の下になると、その存在場所が不明となって、当該ハサミを大騒ぎで探さなければならないことになる。
【０００７】
そこで、本発明者等は、ハサミについて、その露出している刃部に起因する問題を無くすことができ、しかも、ハサミの置き場所を常に確保できて、その存在位置を明確にすることができるようにするにはどうしたらよいか、について種々検討を重ねてきた結果、本発明を完成したのである。
【０００８】
すなわち、本発明の目的とするところは、ハサミの刃部の覆いを行えるだけでなく、ハサミの置き場所を常に確保できてその存在位置を明確にすることができ、対象とするハサミの種類に制限を与えることもないハサミ立てを、簡単な構成によって提供することにある。
【課題を解決するための手段】
【０００９】
以上の課題を解決するために、本発明の採った手段は、後述する最良形態の説明中で使用する符号を付して説明すると、
「ハサミ２０の閉じた両刃部２１・２１を挿入して当該ハサミ２０を立てて置くためのハサミ立て１０であって、
このハサミ立て１０を、筒状の台本体１１と、この台本体１１に載置される蓋体１２とにより構成するとともに、
台本体１１の底部にハサミ２０の閉じた両刃部先端２１ａ・２１ａを係止する係止部１３を形成し、かつ、蓋体１２に、ハサミ２０の閉じた両刃部２１・２１を挿入できる挿入口１４を形成して、これらの挿入口１４と係止部１３とによってハサミ２０の閉じた両刃部２１・２１の２箇所の支持を行うようにしたことを特徴とするハサミ立て１０」
である。
【００１０】
本発明に係るハサミ立て１０は、図２に示すように、筒状の台本体１１と、この台本体１１に載置される蓋体１２とにより構成したものであり、図１に示すように使用される。そのために、このハサミ立て１０は、図２〜図４に示すように、台本体１１の底部にハサミ２０の閉じた両刃部先端２１ａ・２１ａを係止する係止部１３を形成し、かつ、蓋体１２に、ハサミ２０の閉じた両刃部２１・２１を挿入できる挿入口１４を形成したものである。
【００１１】
つまり、本発明に係るハサミ立て１０は、図１または図５に示すように、蓋体１２に形成されて、ハサミ２０の閉じた両刃部２１・２１を挿入できる挿入口１４と、台本体１１の底部に形成されて、ハサミ２０の閉じた両刃部先端２１ａ・２１ａを係止する係止部１３とによってハサミ２０の閉じた両刃部２１・２１の２箇所、つまり刃部先端２１ａと両刃部２１・２１の中央部（または、その近傍）との２カ所の支持を行うものであり、ハサミ２０全体を立てた状態で保持できるようにしたものなのである。
【００１２】
そうすると、ハサミ２０全体を立てた状態で保持するこのハサミ立て１０は、図１または図５に示すように、ハサミ２０の刃部２１をその内部に完全に隠された状態にするから、各刃部２１による問題を殆ど発生させないし、このハサミ２０のハンドル２２を蓋体１２の上方に突出させた状態で保持しているのであるから、ハサミ２０の在処を明確に示していることになる。
【００１３】
また、このハサミ立て１０は、挿入口１４と係止部１３とによってハサミ２０の閉じた両刃部２１・２１の２箇所の支持を行うようにしているだけのものであるから、ハサミ２０の立てを行うにあたって、その刃部２１の形状や、刃部２１のある程度の大きさの変化に十分に対応できるものとなっている。勿論、ハサミ２０のハンドル２２は、当該ハサミ立て１０の外に位置することになるから、ハサミ２０の立てを行うにあたって、この刃部先端２１ａの形状変化は何ら問題にはならない。要するに、このハサミ立て１０は、人が手で使用するハサミ２０であれば、その立てを形状や大きさが変化しても殆どの場合問題無く行えるものとなっているのである。
【００１４】
従って、本発明に係るハサミ立て１０は、ハサミの刃部の覆いを行えるだけでなく、ハサミの置き場所を常に確保できてその存在位置を明確にすることができ、対象とするハサミの種類に制限を与えることもないものとなっている。
【発明の効果】
【００１５】
以上、説明した通り、本発明は、
「ハサミ２０の閉じた両刃部２１・２１を挿入して当該ハサミ２０を立てて置くためのハサミ立て１０であって、
このハサミ立て１０を、筒状の台本体１１と、この台本体１１に載置される蓋体１２とにより構成するとともに、
台本体１１の底部にハサミ２０の閉じた両刃部先端２１ａ・２１ａを係止する係止部１３を形成し、かつ、蓋体１２に、ハサミ２０の閉じた両刃部２１・２１を挿入できる挿入口１４を形成して、これらの挿入口１４と係止部１３とによってハサミ２０の閉じた両刃部２１・２１の２箇所の支持を行うようにしたこと」
にその構成上の特徴があり、これにより、ハサミ２０の刃部２１の覆いを行えるだけでなく、ハサミ２０の置き場所を常に確保できてその存在位置を明確にすることができ、対象とするハサミ２０の種類に制限を与えることもないハサミ立て１０を、簡単な構成によって提供することができるのである。
【図面の簡単な説明】
【００１６】
【図１】本発明に係るハサミ立て１０を使用している状態を示す一例であり、ハサミ立て１０の左側半分を断面にした正面図である。
【図２】同ハサミ立て１０の構成部材である台本体１１から蓋体１２を外して示した斜視図である。
【図３】同ハサミ立て１０の構成部材である台本体１１を示すもので、（ａ）は平面図、（ｂ）は左半分を断面にした正面図、（ｃ）は底面図である。
【図４】同ハサミ立て１０の構成部材である蓋体１２を示すもので、（ａ）は平面図、（ｂ）は左半分を断面にした正面図、（ｃ）は底面図である。
【図５】本発明に係るハサミ立て１０を使用して、他の形状のハサミ２０を立てたときの正面図である。
【図６】特許文献１にて提案されたケース付き鋏を示す斜視図である。
【発明を実施するための形態】
【００１７】
次に、上記のように構成した本発明を、図面に示した実施の形態であるハサミ立て１０について説明すると、図１には、ハサミ２０を立てている状態のハサミ立て１０の正面図が示してある。このハサミ立て１０は、図１及び図２に示したように、筒状の台本体１１と、この台本体１１に載置される蓋体１２とにより構成したものである。
【００１８】
本実施形態のハサミ立て１０を構成している台本体１１は、図１〜図３に示したように、外形が植木鉢形状となるような筒状にしたものである。つまり、ハンドル２２を図１に示したような「二枚葉形状」としたハサミ２０や、ハンドル２２を図５に示したような「花形状」としたハサミ２０を、当該ハサミ立て１０に立てたとき、全体として鉢植え植物のイメージが与えられるようにしている。
【００１９】
本実施形態の台本体１１にあっては、図１及び図２に示したように、底板１１ａを備えているが、この底板１１ａは、台本体１１内の底部中央に係止部１３を固定的に位置させるためのものである。このため、この底板１１ａは、台本体１１内の底部中央に係止部１３を固定的に位置させるための、例えば「橋」のようなもの、あるいは「放射状のリブ」のような部材・部位で代替できる。
【００２０】
台本体１１内の底部中央に固定的に位置させた係止部１３は、後述する蓋体１２の挿入口１４を通して台本体１１の底部に挿入されてきた、閉じたハサミ２０の両刃部先端２１ａ・２１ａを係止するものであり、本実施形態では上方が開口した円筒状のものとしてある。つまり、この係止部１３の上端は、図２にも示したように、円状のものとして開口しており、上方から降りてきた両刃部先端２１ａ・２１ａがどのような方向に向いていても、その係止が行えるようにしてある。
【００２１】
また、本実施形態に係る台本体１１は、図１、及び図３の（ｂ）と（ｃ）に示したように、その係止部１３の下面におもり１５を一体化するようにしている。このおもり１５は、ハサミ立て１０全体、及びハサミ立て１０にハサミ２０を立てた場合の重心を下げるためのもので、何れの場合も当該ハサミ立て１０を、簡単には倒れない安定したものとして使用できるようにするものである。
【００２２】
そして、本実施形態に係る台本体１１は、図１、及び図３の（ｂ）に示したように、その上部内側に載置段部１１ｂが形成してある。この載置段部１１ｂは、以下に述べる蓋体１２を簡単に載置できて、蓋体１２の台本体１１に対する位置を安定化させるものであり、この載置段部１１ｂが存在することによって、植木鉢形状の台本体１１を外側から見た場合に、その植木鉢の上縁のイメージを与えることが出来るものでもある。
【００２３】
さて、ハサミ立て１０を構成している蓋体１２は、図１、図２、及び図４に示したように、その下端部形状を台本体１１側の載置段部１１ｂ上に載置出来るようなものとしてあり、その上端縁は、例えば図１に示したように、台本体１１の上端開口と同じとなるようにしてある。つまり、この蓋体１２は、台本体１１の上部内に完全に収められたときには、台本体１１に対して安定した状態にあり、また台本体１１から突出することもない。
【００２４】
本実施形態の蓋体１２には、図１、図２及び図４に示したように、当該蓋体１２を台本体１１内に納めたとき、上述した台本体１１側の係止部１３の直上に位置することになる挿入口１４が形成してある。この挿入口１４は、ハサミ２０の閉じた両刃部２１・２１を挿入できるようにするものであり、図１にも示したように、係止部１３の高さより長い円筒状の筒部１４ａが形成してある。この筒部１４ａは、ハサミ２０の閉じた両刃部２１・２１を下方にある係止部１３に向けて鉛直方向に案内するとともに、閉じた両刃部２１・２１がどの方向を向いていても、またどのような長さであっても係止部１３とは異なった部分でハサミ２０を保持できるものである。勿論、この筒部１４ａによって形成される挿入口１４の大きさは、これが両刃部２１・２１の各刃部先端２１ａからの挿入を容易にし、かつ、刃部先端２１ａよりも大きい刃部２１の保持を行うものであるから、係止部１３のそれより大きくしてある。
【００２５】
また、本実施形態に係る蓋体１２においては、図２及び図４に示したように、上述した挿入口１４が、当該蓋体１２の周囲と一体的な橋部分１６によって固定的に形成してあるが、このような橋部分１６は必ずしも必要では無く、例えば、台本体１１側の底板１１ａのような単純な板（蓋板）であっても構わない。
【００２６】
さらに、本実施形態の蓋体１２では、図２及び図４に示したように、上述した橋部分１６の両側に、開口１４ｂとトレー部１４ｃとが形成してあるが、これらの開口１４ｂ及びトレー部１４ｃは必ずしも必要なものではない。
開口１４ｂは、当該蓋体１２を台本体１１上に載置したとき、台本体１１内を外部に開放する部分であり、逆に言えば、この開口１４ｂからボールペンや鉛筆等の長い筆記用具等を台本体１１内に収納する場合に使用するものである。この開口１４ｂは、本発明の目的からすると必ずしも必要なものではないが、台本体１１をさらに有効利用する上では便利となるものである。
【００２７】
また、橋部分１６の反対側に形成したトレー部１４ｃは、消しゴムやクリップなどの手で摘まむ程度の小さなものを収納あるいは載置する部分となっている。このトレー部１４ｃも、本発明の目的からすると必ずしも必要なものではないが、台本体１１をさらに有効利用する上では便利となるものである。
【００２８】
以上説明してきたようなハサミ立て１０に対して立てられることになるハサミ２０は、図１あるいは図５にも示したように、一本の枢軸２３によって開閉自在に連結された一対の刃部２１を有する一般的なものである。これら各刃部２１は、枢軸２３とは反対側に一体化した各ハンドル２２によって開閉されながら紙等の切断を行い、各刃部２１が閉じられたときの各刃部先端２１ａは、図１にも示したように、台本体１１内の係止部１３に係止できる程度に重なって小さくされる。
【００２９】
また、ハサミ２０の各刃部２１については、これらを閉じた時に蓋体１２の挿入口１４からの挿入が行えるのであれば、長さや大きさにある程度の自由度があり、ハンドル２２の長さや形状についても、当該ハサミ立て１０の係止部１３や挿入口１４に対しては全く無関係であるため、制限はされない。
【００３０】
換言すれば、本実施形態のハサミ立て１０に対して使用されるハサミ２０には、一般の人が使用できるものであれば殆ど制限がないのであり、例えば、ハサミ２０のハンドル２２を図１に示したような「二枚葉形状」としたり、図５に示したような「花形状」とすれば、当該ハサミ２０をハサミ立て１０に立てたとき、全体として鉢植え植物のイメージを与えることができ、使用者に癒やし感を与えることが出来ることになる。
【符号の説明】
【００３１】
１０    ハサミ立て
１１    台本体
１１ａ  底板
１１ｂ  載置段部
１２    蓋体
１３    係止部
１４    挿入口
１４ａ  筒部
１４ｂ  開口
１４ｃ  トレー部
１５    おもり
１６    橋部分
２０    ハサミ
２１    刃部
２１ａ  刃部先端
２２    ハンドル
２３    枢軸
【図１】
2019000363.tif 000003
【図２】
2019000363.tif 000004
【図３】
2019000363.tif 000005
【図４】
2019000363.tif 000006
【図５】
2019000363.tif 000007
【図６】
2019000363.tif 000008